(57)【要約】【課題】車両用設備のセッティング状態の調整及びユーザ登録に関して利便性を向上させ得ると共に、セキュリティ性能の向上も同時に実現すること。【解決手段】リモコン１には、メインユーザの既登録指紋データの入力により個人認証が成立した場合のみサブユーザの指紋データを登録できる。リモコン１は、既登録ユーザの指紋入力に応じて、スマートキー機能を有効化し、そのユーザを利用許可者として認定する。リモコン１は、車両２からの送信要求信号に応じて、端末ＩＤ情報及び利用許可者を特定可能な個人情報など含む応答信号を返信する。車両２側の制御システム３は、受信した端末ＩＤ情報が予め登録された照合用ＩＤ情報と一致した場合のみ、少なくとも車両用ドアロック機構をアンロックする処理、自車両の車両用設備のセッティング状態を受信した個人情報に対応して記憶されているセッティング状態に変更する処理を実行する。【選択図】図１
2007238058.tif 000002
【特許請求の範囲】
【請求項１】
車両と無線通信可能に構成され、当該車両側から所定の通信範囲へ向けて送信される送信要求信号を受信したときに、固有の端末ＩＤ情報及びユーザを特定可能な個人情報を含む応答信号を返信するための携帯型の送受信端末と、
車両用設備の車両運転者によるセッティング状態を示す搭乗環境情報を、当該車両運転者個人を特定可能な個人情報と対応付けて登録可能な搭乗環境情報記憶手段と、
前記車両側に設けられ、前記送受信端末から前記応答信号を受信したときに、その応答信号に含まれる端末ＩＤ情報が予め登録された照合用ＩＤ情報と一致した場合のみ、少なくとも車両用ドアロック機構をアンロックする処理、並びに、前記搭乗環境情報記憶手段から前記応答信号に含まれる個人情報に対応した搭乗環境情報を取り込み、自車両の車両用設備のセッティング状態を当該搭乗環境情報により示されるセッティング状態に変更する処理を実行する集中制御手段と、
を備え、
前記送受信端末には、
個人認証のための検出対象情報を入力可能な情報入力手段と、
メインユーザの個人認証に使用するメインユーザ用検出対象情報が予め登録された記憶手段と、
メインユーザ以外のユーザの個人認証に使用するサブユーザ用検出対象情報を前記情報入力手段から取得して登録可能に構成された補助記憶手段と、
前記情報入力手段により入力された検出対象情報と前記記憶手段及び補助記憶手段に登録された各検出対象情報との照合に基づいて個人認証処理を実行する個人認証手段と、
外部操作に応じて登録モードに切換わるように構成され、この登録モードに切換わった状態では、前記個人認証手段において前記メインユーザ用検出対象情報に基づいた個人認証が成立した後の所定期間のみ、前記情報入力手段により入力された検出対象情報を前記補助記憶手段に対し前記サブユーザ用検出対象情報として登録可能な状態に切換える登録制御手段と、
前記登録モードにない状態で、前記個人認証手段において前記記憶手段または補助記憶手段に既登録の検出対象情報に基づいた個人認証が成立したときに、前記応答信号を返信可能なユーザモードに切換わるように構成され、このユーザモードに切換わった状態では、当該応答信号中に上記検出対象情報の入力者を特定可能な個人情報が含まれるように制御する送信制御手段と、
が設けられることを特徴とする車両用スマートエントリシステム。
【請求項２】
前記ユーザモードには、前記個人認証手段による個人認証が、前記記憶手段に記憶されたメインユーザ用検出対象情報に基づいて成立した場合のメインユーザモードと、当該個人認証が、前記補助記憶手段に記憶されたサブユーザ用検出対象情報に基づいて成立した場合のサブユーザモードとが設定され、当該サブユーザモードへの切換えは、前記メインユーザの個人認証が成立した後の所定期間のみ実行可能に構成されていることを特徴とする請求項１記載の車両用スマートエントリシステム。
【請求項３】
前記送信制御手段は、前記ユーザモードに切換えた状態を、その切換え後に所定時間が経過したとき、または所定の操作が行われたときに初期化することを特徴とする請求項１または２記載の車両用スマートエントリシステム。
【発明の詳細な説明】
【技術分野】
【０００１】
本発明は、車両におけるスマートエントリ機能を個人認証処理の結果に応じて有効化すようにしたシステム、特には、個人認証処理の結果に基づいて車両設備のセッティング状態を制御できるようにした車両用スマートエントリシステムに関する。
【背景技術】
【０００２】
１台の車両の運転に複数のユーザが関わる場合、各ユーザは、車両用設備のセッティング状態、つまり、運転席シートのポジション、ドアミラーやルームミラーの角度などを自身の体格や運転姿勢などに合わせて変更する必要があるが、このような変更操作を運転者が変わる毎にいちいち行うことは面倒である。このため、従来では、例えば特許文献１に見られるように、車両用キーレスエントリシステムにおいて、車両側に設けた記憶手段に対して、各ユーザが調整した車両用設備のセッティング状態をユーザ個人毎に対応した搭乗環境情報として記憶しておくと共に、ユーザが携帯するリモートコントローラに指紋認証デバイスを設けて当該ユーザの個人認証を行い得るように構成し、その指紋認証デバイスを通じて個人認証が成立した状態でリモートコントローラが操作されたときにドアロック機構のロック／アンロックを行うと共に、個人認証対象となったユーザに対応した搭乗環境情報を前記記憶手段から読み出し、車両用設備のセッティング状態を当該搭乗環境情報により示されるセッティング状態に変更する制御を行う構成としたものが提供されている。このようなシステムでは、車両用設備のセッティング状態にかかる利便性が向上すると共に、セキュリティの強化も同時に実現できることになる。
【特許文献１】特開２００４−１９６１５４号公報
【発明の開示】
【発明が解決しようとする課題】
【０００３】
しかしながら、上記従来のシステムでは、ユーザが車両に乗り込む毎に、リモートコントローラに設けられている指紋認証デバイスを使って個人認証のための操作を行わねばならない。このため、スマートエントリシステムのように、ユーザがリモートコントローラを携帯しているだけでドアロック機構のアンロックなどを行い得るシステムへの展開が不可能であり、車両用のエントリシステムとしての利便性を十分に高めることが困難になるという問題点がある。また、新たなユーザの登録は、当該ユーザが車両とリモートコントローラとの間の通信可能範囲内に入った状態で行わねばならず、その登録に際しての利便性が低いという問題点もあった。
【０００４】
本発明は上記事情に鑑みてなされたものであり、その目的は、車両用設備のセッティング状態の調整及びユーザ登録に関して利便性を向上させ得ると共に、セキュリティ性能の向上も同時に実現できるようになる車両用スマートエントリシステムを提供することにある。
【課題を解決するための手段】
【０００５】
請求項１記載の手段によれば、携帯型の送受信端末には、これに設けられた記憶手段に対してメインユーザの個人認証に使用するメインユーザ用検出対象情報（例えばメインユーザの指紋データ）が予め登録されている。送受信端末に対して、サブユーザを登録する場合には、まず、外部操作によって登録制御手段を登録モードに切換え、この切換え状態で、メインユーザの個人認証に使用する検出対象情報を、情報入力手段により入力することにより個人認証手段での個人認証処理を実行させる。この個人認証処理は、前記記憶手段に登録されているメインユーザ用検出対象情報に基づいて行われるから、正常に成立することになる。すると、登録制御手段が、情報入力手段により入力された検出対象情報を、補助記憶手段に対しサブユーザ用検出対象情報として登録可能な状態に所定期間だけ切換わるようになるから、登録対象のサブユーザの個人認証に使用する検出対象情報を、情報入力手段を通じて入力することにより、補助記憶手段に対してサブユーザ用検出対象情報を登録できるようになる。
【０００６】
一方、上記送受信端末は、車両側から所定の通信範囲へ向けて送信される送信要求信号を受信したときに、固有の端末ＩＤ情報及びユーザを特定可能な個人情報を含む応答信号を返信するように構成されており、前述した登録モードにない状態で、前記個人認証手段において記憶手段または補助記憶手段に既登録の検出対象情報に基づいた個人認証が成立したとき、つまり、メインユーザまたは登録済みのサブユーザに係る検出対象情報が個人認証手段により入力されたときに、送信制御手段が、前記応答信号を返信可能なユーザモードに切換わり、上記のように返信する応答信号中に上記検出対象情報の入力者（メインユーザまたはサブユーザ）を特定可能な個人情報が含まれるように制御するようになる、
このような応答信号が送受信端末から返信されると、車両側に設けられた集中制御手段が、その応答信号に含まれる端末ＩＤ情報が予め登録された照合用ＩＤ情報と一致した場合のみ、少なくとも車両用ドアロック機構をアンロックする処理を実行すると共に、搭乗環境情報記憶手段から応答信号に含まれる個人情報に対応した搭乗環境情報を取り込み、自車両の車両用設備のセッティング状態を当該搭乗環境情報により示されるセッティング状態に変更する処理を実行するようになる。
【０００７】
この場合、上記搭乗環境情報記憶手段には、車両用設備の車両運転者によるセッティング状態を示す搭乗環境情報が、当該車両運転者個人を特定可能な個人情報と対応付けて予め登録されているものであり、結果的に、ユーザが車両に乗り込む場合において、車両用設備のセッティング状態の変更操作をいちいち行う必要がなくなり、その利便性が大幅に向上することになる。勿論、このような車両用設備のセッティング状態の変更制御、並びに車両用ドアロック機構のアンロックは、送受信端末の操作が不要なスマートエントリ機能として実現されるものであり、この面からも利便性の向上を図り得る。
【０００８】
また、サブユーザの登録は、メインユーザの許可（メインユーザの個人認証の成立）の元で、どの場所でも実行可能であるから、従来のシステムのように、新たな登録対象のユーザが車両と携帯送信端末との間の通信可能範囲内に入った状態で行う必要がなくなり、その登録に際しての利便性が大幅に向上することになる。
【０００９】
請求項２記載の手段によれば、送受信端末を、サブユーザによる使用が許可されたサブユーザモードへ移行させるためには、メインユーザの許可が必ず必要な構成となっているから、送受信端末が第三者の手に渡ることに起因した車両盗難や車上狙いなどに対してのセキュリティ性の向上を図る上できわめて有益になる。
【００１０】
請求項３記載の手段によれば、送受信端末によるスマートエントリ機能を有効化したユーザモードへ切換えられた状態が、その切換え後に所定時間が経過したとき、または所定の操作が行われたときに初期化されることになるから、送受信端末を紛失した場合のセキュリティ性が向上する。
【発明を実施するための最良の形態】
【００１１】
（第１の実施の形態）
以下、本発明の第１実施例について図１〜図７を参照しながら説明する。
図１には、車両用スマートエントリシステムの全体構成が模式的に示されている。この図１において、スマートエントリシステムは、スマートキー機能を備えたリモートコントローラ（以下、リモコンと略称：携帯型の送受信端末に相当）１と、車両２側にリモコン１との間での通信を行うために搭載された制御システム３とにより構成される。この場合、リモコン１側には固有の端末ＩＤ情報が格納されていると共に、車両２側には、自車用のリモコン１を特定するための照合用ＩＤ情報が格納されており、車両２側では、リモコン１から取得した端末ＩＤ情報が照合用ＩＤ情報と一致する場合のみ、当該リモコン１からの要求を受け付ける構成となっている。
【００１２】
リモコン１は、ユーザ（車両運転者）がポケットなどに収納した状態で携帯可能な大きさの扁平矩形状に形成されたもので、例えば液晶パネルより成る表示部４、新規登録ボタン５ａ及び登録抹消ボタン５ｂから成る操作部５、登録対象者であるサブユーザの指紋（検出対象情報に相当）を読み取るための指紋読取部６（情報入力手段に相当）が設けられている。この場合、表示部４、操作部５及び指紋読取部６は、リモコン１の同一面に例えば図示のような形態で配置される。尚、指紋読取部６による指紋読取方式は種々考えられるが、例えば、小型化及び軽量化が容易な半導体方式（静電容量方式）を採用している。尚、表示部４にあっては、文字情報を一括表示できない場合に、当該文字情報をスクロール表示する構成となっている。
【００１３】
図２には、リモコン１の電気的構成が機能ブロックの組み合わせにより示されている。この図２において、リモコン１には、前記表示部４、操作部５及び指紋読取部６の他に、記憶部７（記憶手段、補助記憶手段に相当）、個人認証処理部８（個人認証手段に相当）、通信処理部９及び制御部１０（登録制御手段、送信制御手段に相当）が設けられている。尚、図示しないが、リモコン１には、その電源となるバッテリ（例えば二次電池）及びこれに付随した電圧安定化回路なども設けられている。
【００１４】
記憶部７は、データ書換え可能な不揮発性メモリ（例えばフラッシュメモリ）により構成されるもので、車両２のメインユーザ（リモコン１の所持者）の指紋データ（メインユーザ用検出対象情報に相当）及び所定人数のサブユーザに係る指紋データ（サブユーザ用検出対象情報に相当）を登録するためのデータ記憶エリアが設定されている。このデータ記憶エリアには、メインユーザの指紋（例えば、右人差し指の指紋）に対応した指紋データがメインユーザコードと対応付けられたデフォルトデータとして登録されるものであり、このようなデフォルトデータの登録は、車両２を販売したカーディーラーなどで行われる。尚、デフォルトデータは、第三者により容易に書換えや消去ができないように保護されている。また、記憶部７には、リモコン１の認証に供される前記端末ＩＤ情報などが格納されるものであり、この格納情報も容易に書換えや消去ができない状態とされている（但し、デフォルトデータや端末ＩＤ情報は他の記憶要素に格納しても良い）。
【００１５】
個人認証処理部８は、指紋読取部６により読み取られた指紋データと記憶部７に登録された指紋データとを照合することにより、周知の個人認証動作を行うものであり、その認証結果を制御部１０に与える。
【００１６】
通信処理部９は、車両２に搭載された制御システム３との間で無線通信を行うためのもので、制御部１０からの送信用データを、所定の変調をかけた状態でアンテナ９ａから例えばＵＨＦ帯の電波信号により送信する機能、並びにアンテナ９ａにより受信した制御システム３からの電波信号（例えばＬＦ帯）を復調して制御部１０に伝送する機能を備えている。
【００１７】
制御部１０は、ＣＰＵ、ＲＯＭ、ＲＡＭなどを備えたマイクロコンピュータにより構成されたもので、ＲＯＭには、リモコン１に設定された各種の機能を実現するためのプログラムが設定されており、以下、その制御内容及び関連した作用について説明する。
【００１８】
図３のフローチャートには、制御部１０による制御内容のうち、リモコン１に対してサブユーザを登録するための利用者登録処理ルーチンの一例が示されている。この処理ルーチンは、所定の外部操作、つまり、新規登録ボタン５ａが操作されたとき（ステップＡ０で「ＹＥＳ」）に開始されるものであり、その開始に応じて登録モードに切換わる。このように登録モードに切換わった後には、表示部４に対して新規登録用メッセージ（例えば、「指紋読取部に右手の人差し指を押し当ててください」）を表示し（ステップＡ１）、この後に、指紋読取部６において指紋を読み取ったか否かを、予め設定された時間が経過するまで判断する（ステップＡ２、Ａ３）。尚、指紋を読み取ったか否かの判断は、個人認証処理部８からの信号を利用して行われる。
【００１９】
指紋を読み取ることなく設定時間が経過したときには、表示部４に対して異常メッセージ（例えば、「指紋を読み取れません。最初からやり直してください」）を表示するステップＡ４を実行した後に初期状態にリターンする。尚、このような異常メッセージの表示状態は、その後に所定時間が経過するまで、若しくは新規登録ボタン５ａ及び登録抹消ボタン５ｂの何れかが操作されるまで保持される構成となっている。
【００２０】
これに対して、指紋を読み取ったときには、その読み取りが正常に行われたか否かを判断し（ステップＡ５）、異常があった場合には、前記異常メッセージ表示ステップＡ４を実行した後にリターンする。一方、指紋の読み取りが正常に行われた場合には、その指紋が記憶部７に記憶されたデフォルトデータ（メインユーザの指紋データ）と一致するか否かを判断する（ステップＡ６）。尚、このような判断は、個人認証処理部８に対して、読み取った指紋と記憶部７にデフォルトデータとして登録されているメインユーザの指紋データとの１対１照合を指令し、これに応じて実行される個人認証処理部８での個人認証が成立するのに伴い「指紋一致」という認証結果がフィードバックされたか否かに基づいて行うことになる。
【００２１】
読み取られた指紋がメインユーザのものでなかった場合には、異常メッセージ表示ステップＡ４を実行した後にリターンするが、メインユーザのものであった場合には、表示部４に対して、登録対象の新規サブユーザの認証処理を促すメッセージ（例えば、「指紋読取部に新規登録者の右手の人差し指を押し当ててください」）を表示し（ステップＡ７）、この後に、指紋読取部６において指紋を読み取ったか否かを、予め設定された時間が経過するまで判断する（ステップＡ８、Ａ９）。
【００２２】
指紋を読み取ることなく設定時間が経過したときには、異常メッセージ表示ステップＡ４を実行した後にリターンするが、指紋を読み取ったときには、その読み取りが正常に行われたか否かを判断し（ステップＡ１０）、異常があった場合には、異常メッセージ表示ステップＡ４を実行した後にリターンする。これに対して、指紋の読み取りが正常に行われた場合には、読み取ったサブユーザの指紋データを、記憶部７のデータ記憶エリアに対し当該サブユーザのものであることを特定可能なサブユーザコードと共に登録（記憶）する（ステップＡ１１）。
【００２３】
このような登録ステップＡ１１の実行後には、表示部４に対して登録完了メッセージ（例えば、「サブユーザの登録が完了しました」）を表示するステップＡ１２を実行した後に初期状態にリターンする。尚、このような登録完了メッセージの表示状態は、その後に所定時間が経過するまで、若しくは新規登録ボタン５ａ及び登録抹消ボタン５ｂの何れかが操作されるまで保持される構成となっている。
【００２４】
つまり、このような利用者登録処理ルーチンが設定されている結果、リモコン１に対して新規サブユーザの登録を行う際には、まず、新規登録ボタン５ａを操作した上で、メインユーザの指紋を指紋読取部６に読み取らせることにより当該メインユーザの個人認証を行い、この個人認証が正常に完了した後の所定期間（設定時間が経過するまでの期間）において、登録対象の新規サブユーザの指紋を指紋読取部６に読み取らせたときに、当該サブユーザの指紋データが記憶部７に登録されることになる。
【００２５】
尚、このように登録されたサブユーザの指紋データの消去は、登録抹消ボタン５ｂを利用して行うものである。つまり、具体的に図示しないが、登録抹消ボタン５ｂが操作されたときには、まず、メインユーザの個人認証を個人認証処理部８にて行い、その個人認証が正常に完了した後に、表示部４に登録サブユーザのサブユーザコードを表示した登録抹消モードに切換わる。このような表示は１名分ずつ行われるものであり、その表示内容のスクロールは、例えば新規登録ボタン５ａの操作により行い得るようになっている。そして、表示部４にサブユーザコードが表示された状態で、登録抹消ボタン５ｂを再操作すると、当該サブユーザコードに対応したサブユーザに係る指紋データが記憶部７から消去されると共に、その旨を示すメッセージ（例えば「消去」）が表示部４に表示されることになる。また、このような登録抹消モードは、例えば登録抹消ボタン５ｂが長押しされたとき、或いは無操作状態で所定時間が経過したときに解消されるものである。
【００２６】
図４のフローチャートには、制御部１０による制御内容のうち、ノーユーザモード（スマートキー機能が無効化された状態）にあるリモコン１を、アクティブなモード、つまりスマートキー機能が働いたユーザモードに切換えるためのユーザ認証処理ルーチンの一例が示されている。この処理ルーチンは、指紋読取部６において指紋の読み取りが行われたとき（ステップＢ１で「ＹＥＳ」）に開始されるものであり、開始後には、指紋の読み取りが正常に行われたか否かを判断し（ステップＢ２）、正常に行われなかった場合には、表示部４に対して無効メッセージ（例えば、「指紋を読み取れません」）を表示するステップＢ３を実行した後に初期状態にリターンする。尚、このような無効メッセージの表示状態は、その後に所定時間が経過するまで、若しくは指紋読取部６において指紋の再読み取りが行なわれるまで保持される構成となっている。
【００２７】
これに対して、指紋の読み取りが正常に行われた場合には、その指紋が登録ユーザ（記憶部７に指紋データが登録されているメインユーザ及びサブユーザ）のものであるか否かを判断する（ステップＢ４）。尚、このような判断は、個人認証処理部８に対して、読み取った指紋と記憶部７に登録されている全部の指紋データとの照合を指令し、これに応じて実行される個人認証処理部８での個人認証が成立するのに伴い「指紋一致」という認証結果がフィードバックされたか否かに基づいて行うことになる。
【００２８】
読み取られた指紋が登録ユーザのものでなかった場合には、無効メッセージ表示ステップＢ３を実行した後にリターンするが、登録ユーザのものであった場合には、リモコン１のスマートキー機能を有効化したユーザモードへ移行し（ステップＢ５）、さらに、上記個人認証が行われたユーザ（指紋の読み取りが行われたユーザ）をリモコン１の利用許可者として認定する（ステップＢ６）。
【００２９】
この場合、制御部１０は、常時において、車両２側から所定の通信範囲（制御システム３を中心とした所定距離範囲）へ向けて送信される送信要求信号を、通信処理部９を通じて受信したときに、応答信号を通信処理部９から返信する処理を実行する構成となっているが、上述のようにユーザモードへ移行した状態では、車両側へ返信する応答信号中に、自身の端末ＩＤ情報及び前記利用許可者（メインユーザまたはサブユーザ）を特定可能な個人情報（メインユーザコードやサブユーザコード）などが含まれるように制御する構成となっている。
【００３０】
前記ステップＢ６の実行後には、表示部４に対して、スマートキー機能が有効化されたユーザモードへ移行した旨のメッセージ（例えば、「ＯＫ」）を表示するステップＢ７を実行した後にリターンする。尚、上記ユーザモードは、所定のリセット条件が成立したとき、例えば、その後に一定時間が経過したときや、当該ユーザモードに移行させたユーザ以外の指紋の読み取りがあった場合などに無効化されて初期状態（ノーユーザモード）に戻る構成となっている。
【００３１】
つまり、このようなユーザ認証処理ルーチンが設定されている結果、記憶部７に指紋データが登録されたユーザ（メインユーザ及びサブユーザ）の指紋入力に応じて、リモコン１のスマートキー機能を有効化したユーザモードへ所定期間だけ移行すると共に、リモコン１の利用許可者が、記憶部７に指紋データが登録されたユーザの中から認定されるものであり、このような認定情報が、後述する登録環境情報の登録に利用される。
【００３２】
図５には、車両２側の制御システム３の構成例が機能ブロックの組み合わせにより示されている。この図５のように、制御システム３は、アンテナ１１ａを備えた通信処理部１１、制御関連部１２、搭乗環境記憶部１３（搭乗環境情報記憶手段に相当）、表示・操作部１４、車載機器１５（車両用設備に相当）、マイクロコンピュータより成る集中制御部１６（集中制御手段に相当）を備えた構成となっている。
【００３３】
通信処理部１１は、リモコン１との間での無線通信を行うためのものである。この場合、通信処理部１１は、集中制御部１６からの送信用データを、所定の変調をかけた状態でアンテナ１１ａからＬＦ帯の電波により送信する機能、並びにアンテナ１１ａにより受信したリモコン１からの電波信号（ＵＨＦ帯）を復調して集中制御部１６に伝送する機能を備えている。
【００３４】
制御関連部１２は、種々の車両用設備（例えば、ドアロック機構、トランクリッドロック機構（或いはリアゲートロック機構）、室内ミラー、室外ミラー、電動シートポジション調節機構、電動チルトハンドル機構：何れも図示せず）の動作を制御するための制御部群を含んで成る。具体的には、制御関連部１２は、ドアロック機構のロック動作及びアンロック動作を制御するためのドアロック機構制御部１７、トランクリッドロック機構（或いはリアゲートロック機構）のロック動作及びアンロック動作を制御するためのリアロック機構制御部１８、室内ミラーの可動機構部を制御するための室内ミラー制御部１９、室外ミラーの可動機構部を制御するための室外ミラー制御部２０、運転席シートのポジション（座部の前後位置、高さ位置、背もたれ角度、ランバーサポート力など）を調節する電動シートポジション調節機構を制御するためのシートポジション制御部２１、車両のステアリングホイール（ハンドル）のポジションを調節する電動チルトハンドル機構を制御するためのハンドルポジション制御部２２などを含むものであり、それら制御部１７〜２２は、集中制御部１６からの指令により動作する構成となっている。
【００３５】
搭乗環境記憶部１３は、前記車両用設備の車両運転者（メインユーザまたはサブユーザ）によるセッティング状態を示す搭乗環境情報を、当該車両運転者を特定可能な情報（メインユーザコード、サブユーザコード）毎に区分して記憶するためのもので、例えば、フラッシュメモリのような書換え可能な不揮発性メモリにより構成されており、集中制御部１６からアクセスできるようになっている。
【００３６】
表示・操作部１４は、スマートエントリシステムに関連した種々のスイッチ要素及び表示器を含んで成る。即ち、表示・操作部１４は、具体的に図示しないが、例えば、車両２のドア外部に設けられたドアハンドルの裏側に設けられたドア解錠用タッチスイッチ、当該ドアハンドルの表側に設けられたドア施錠用の押しボタンスイッチ、トランク（或いはリアゲート）に対応して設けられたトランクリッドロック機構（或いはリアゲートロック機構）解錠用の押しボタンスイッチ、エンジン始動用のエンジンスイッチ、搭乗環境情報の登録時に使用される搭乗環境設定スイッチなどのスイッチ要素を備えた構成となっており、それらスイッチの操作信号を集中制御部１６に与える。
【００３７】
この場合、表示・操作部１４に備えられた表示器は、上記搭乗環境設定スイッチの操作に連動した表示動作を行い得る構成となっており、ユーザ（車両運転者）は、この搭乗環境設定スイッチの操作を、その操作に連動した表示器での表示内容を参照しながら行うことにより、搭乗環境情報の登録開始要求及び所定の車両用設備（特には、室内ミラー、室外ミラー、電動シートポジション調節機構、電動チルトハンドル機構）毎のセッティング状態の登録要求（以下、これらを室内ミラー設定登録要求、室外ミラー設定登録要求、シートポジション設定登録要求、ステアリングポジション設定登録要求と呼ぶ）、並びに、車載機器１５におけるオーディオ音量・音質のセッティング状態の登録要求（以下、オーディオ設定登録要求と呼ぶ）、当該車載機器１５におけるカーナビゲーション機能のセッティング状態（地図画面の表示モード（二次元表示、三次元表示など）、初期地図画面の縮尺など）の登録要求（以下、カーナビ設定登録要求と呼ぶ）を、集中制御部１６へ発信できるようになっている。
【００３８】
車載機器１５は、例えば、ＡＭ／ＦＭチューナ、ＴＶチューナ、ＣＤドライバ（或いはＤＶＤドライバ）などを含んだカーオーディオ及びＴＶシステムとカーナビゲーション装置とを複合的に組み合わせたものであり、その動作が集中制御部１６により制御される。
【００３９】
集中制御部１６は、図６及び図７のフローチャートにそれぞれ示すような搭乗環境登録処理ルーチン及びスマートエントリ関連処理ルーチンを実行する構成となっており、以下、これら処理ルーチンの内容について説明する。
【００４０】
図６の搭乗環境登録処理ルーチンは、表示・操作部１４に備えられた搭乗環境設定スイッチが操作されるのに応じて搭乗環境情報の登録開始要求があった場合（ステップＣ０で「ＹＥＳ」）に開始されるものであり、開始後には、通信処理部１１による通信範囲に自車両用のリモコン１が存在するか否かを判断する（ステップＣ１）。尚、この判断は、前述したような送信要求信号の送信に応じてリモコン１側から返信される応答信号中の端末ＩＤ情報を、自車両に格納されている照合用ＩＤ情報と照合することにより行う。
【００４１】
通信処理部１１による通信範囲に自車両用のリモコン１が存在しない場合には、そのまま搭乗環境登録処理ルーチンを終了するが、当該通信範囲にリモコン１が存在した場合（つまり、リモコン１を所持したユーザが搭乗環境設定スイッチを操作した場合に対応）には、これを登録開始要求が当該ユーザにより行われたものと判断し、そのリモコン１において認定されている利用許可者を特定可能な情報（メインユーザコードまたはサブユーザコード）を、搭乗環境情報の登録対象者として記憶する（ステップＣ２）。
【００４２】
この後には、表示・操作部１４に備えられた表示器に対して搭乗環境情報の登録に必要なガイダンス情報を表示し（ステップＣ３）、シートポジション設定登録要求、室外ミラー設定登録要求、室内ミラー設定登録要求、ステアリングポジション設定登録要求、オーディオ設定登録要求、カーナビ設定登録要求の何れかがあるまで、若しくは、上記ガイダンス情報の表示後において予め設定された一定時間が経過する間で待機する（ステップＣ４、Ｃ６、Ｃ８、Ｃ１０、Ｃ１２、Ｃ１４、Ｃ１６）。
【００４３】
シートポジション設定登録要求があった場合（ステップＣ４で「ＹＥＳ」）には、電動シートポジション調節機構のセッティング状態を示すシートポジション情報（運転席シートのポジション（座部の前後位置、高さ位置、背もたれ角度、ランバーサポート力など）を示す情報）を取得する（ステップＣ５）。
【００４４】
室外ミラー設定登録要求があった場合（ステップＣ６で「ＹＥＳ」）には、室外ミラーの位置情報（角度情報）を取得し（ステップＣ７）、室内ミラー設定登録要求があった場合（ステップＣ８で「ＹＥＳ」）には、室内ミラーの位置情報（角度情報）を取得する（ステップＣ９）。
【００４５】
ステアリングポジション設定登録要求があった場合（ステップＣ１０で「ＹＥＳ」）には、電動チルトハンドル機構のセッティング状態を示すステアリングポジション情報を取得する（ステップＣ１１）。また、オーディオ設定登録要求があった場合（ステップＣ１２で「ＹＥＳ」）には、オーディオシステムの音量・音質のセッティング状態を示すオーディオ設定情報を取得し（ステップＣ１３）、カーナビ設定登録要求があった場合（ステップＣ１４で「ＹＥＳ」）には、カーナビゲーション機能のセッティング状態を示すカーナビ設定情報を取得する（ステップＣ１５）。
【００４６】
一定時間が経過したとき（ステップＣ１６で「ＹＥＳ」）には、登録ルーチンＣ１７を実行するものであり、このルーチンＣ１７では、上述のような登録要求に応じて取得した情報があった場合のみ、搭乗環境記憶部１３に対して、上記取得情報を、前記ステップＣ２で記憶した登録対象者（リモコン１で認定されている利用許可者）を示す個人情報（メインユーザコードまたはサブユーザコード）と対応付けた状態の搭乗環境情報として記憶する。そして、この登録ルーチンＣ１７の実行後には、ステップＣ３で行ったガイダンス情報の表示を初期化し（ステップＣ１８）、搭乗環境登録処理ルーチンを終了する。
【００４７】
一方、図７に示したスマートエントリ関連処理ルーチンは、リモコン１が通信処理部１１による通信範囲内に入った場合（リモコン１からの応答信号を受信した場合）に開始されるものである（ステップＤ０）。
【００４８】
次いで、応答信号の送信源となったリモコン１が自車両に格納されている照合用ＩＤ情報と一致するものであるか否か、つまり、リモコン１側の端末ＩＤ情報が自車両に対応した適正なものであるか否かを判断する（ステップＤ１）。
【００４９】
応答信号の送信源となったリモコン１が自車両に対応したものでなかった場合には、スマートエントリ関連処理ルーチンを終了するが、対応したものであった場合には、上記応答信号に含まれる個人情報に基づいて利用許可者を特定し（ステップＤ２）、このように特定した利用許可者に係る搭乗環境情報を、搭乗環境記憶部１３から読み出す（ステップＤ３）。
【００５０】
この後には、以下に述べるような制御内容のステップＤ４〜Ｄ９を順次実行する。
ステップＤ４：シートポジション制御部２１により、電動シートポジション調節機構を制御することにより、運転席シートのポジションを、搭乗環境記憶部１３から読み出した搭乗環境情報中のシートポジション情報に応じたポジションとなるように調整する。
ステップＤ５：室外ミラー制御部２０により、室外ミラーの可動機構部を制御することにより、室外ミラーの位置（角度）を、搭乗環境記憶部１３から読み出した搭乗環境情報中の室外ミラー用位置情報に応じたポジションとなるように調整する。
ステップＤ６：室内ミラー制御部１９により、室内ミラーの可動機構部を制御することにより、室内ミラーの位置（角度）を、搭乗環境記憶部１３から読み出した搭乗環境情報中の室内ミラー用位置情報に応じたポジションとなるように調整する。
ステップＤ７：ハンドルポジション制御部２２により、電動チルトハンドル機構を制御することにより、ステアリングホイールのポジションを、搭乗環境記憶部１３から読み出した搭乗環境情報中のステアリングポジション情報に応じたポジションとなるように調整する。
ステップＤ８：車載機器１５におけるオーディオ音量・音質を、搭乗環境記憶部１３から読み出した搭乗環境情報中のオーディオ設定情報に応じた状態となるように調整する。
ステップＤ９：車載機器１５におけるカーナビゲーション機能を、搭乗環境記憶部１３から読み出した搭乗環境情報中のカーナビ設定情報に応じた状態となるように調整する。
【００５１】
尚、上記ステップＤ４〜Ｄ９において、各ポジションや設定状態に変更がない場合には、上記のような調整のための制御が行われないことは勿論である。
ステップＤ４〜Ｄ９の実行後には、ロック機構制御ルーチンＤ１０を実行した後にスマートエントリ関連処理ルーチンを終了する。このロック機構制御ルーチンＤ１０では、ドアハンドルの裏側に設けられたドア解錠用タッチスイッチがオンされたときに、そのドア用のドアロック機構をアンロックし、また、トランクリッドロック（或いはリアゲートロック）解錠用の押しボタンスイッチがオンされたときに、トランクリッドロック機構（或いはリアゲートロック機構）をアンロックする。
【００５２】
尚、実際には、このロック機構制御ルーチンＤ１０の実行後に、スマートエントリシステムにおいて周知のエンジン始動ルーチンが行われるものであるが、これの説明は省略した。また、ロック機構制御ルーチンＤ１０を、ステップＤ４〜Ｄ９の実行後に行う例を説明したが、例えば、ステップＤ２〜Ｄ９の実行前のタイミング（ステップＤ１で「ＹＥＳ」と判断されたタイミング）で行っても良いものである。
【００５３】
さらに、この実施例では、ドア解錠用タッチスイッチを設ける構成としたが、このようなドア解錠用タッチスイッチを設けることなく、リモコン１の近接に応じてドアロック機構をアンロックする構成としても良い。また、ドアロック機構及びトランクリッドロック機構（或いはリアゲートロック機構）のロックは、例えば、ドアハンドルの表側に設けられたドア施錠用の押しボタンスイッチが操作された場合やリモコン１が通信処理部１１による通信範囲外へ移動した場合に行われるものである。
【００５４】
要するに、上記した本実施例によれば、リモコン１には、これに設けられた記憶部７に対してメインユーザの個人認証に使用する指紋データが、メインユーザコードと対応付けられたデフォルトデータとして予め登録されており、その記憶部７には、メインユーザ以外のサブユーザの個人認証に使用する指紋データを、サブユーザコードと対応付けた状態で登録可能になっている。このような指紋データの登録は、サブユーザの指紋を、リモコン１に設けられた指紋読取部６により読み取らせることにより行うものであるが、その登録は、リモコン１に設けられた新規登録ボタン５ａの操作によって制御部１０を登録モードに切換え、この切換え後の所定期間において、メインユーザの指紋を指紋読取部６で読み取らせて当該メインユーザの個人認証を行い、その個人認証が成立した場合に始めて可能になる。
【００５５】
従って、リモコン１に対するサブユーザの登録は、メインユーザの許可（メインユーザの個人認証の成立）の元で、どの場所でも実行可能であるから、従来のシステムのように、新たな登録対象のユーザが車両と携帯送信端末との間の通信可能範囲内に入った状態で行う必要がなくなり、その登録に際しての利便性が大幅に向上することになる。
【００５６】
上記リモコン１は、常時においてスマートキー機能が無効化されたノーユーザモードに保持されているが、前述した登録モードにない状態において、メインユーザの指紋、または登録済みのサブユーザの指紋を指紋読取部６で読み取らせることにより、スマートキー機能を有効化したユーザモードへ移行すると共に、上記のように指紋の読み取りを行わせたユーザを利用許可者として認定するようになる。
【００５７】
リモコン１は、ユーザモードに切換えられた状態では、車両２側から所定の通信範囲へ向けて送信される送信要求信号を受信したときに、固有の端末ＩＤ情報及び上記のように認定された利用許可者（メインユーザまたはサブユーザ）を特定可能な個人情報（メインユーザコードまたはサブユーザコード）を含む応答信号を返信するように構成されている。車両２側の制御システム３は、上記応答信号がリモコン１から返信されたときに、その応答信号に含まれる端末ＩＤ情報が予め登録された照合用ＩＤ情報と一致した場合のみ、当該応答信号に含まれる利用許可者に係る個人情報に対応した搭乗環境情報を搭乗環境記憶部１３から取り込み、車両２の車両用設備（車載機器１５、図示しないドアロック機構、トランクリッドロック機構（或いはリアゲートロック機構）、室内ミラー、室外ミラー、電動シートポジション調節機構、電動チルトハンドル機構）のセッティング状態を当該搭乗環境情報により示されるセッティング状態に変更すると共に、ドアハンドルの裏側に設けられたドア解錠用タッチスイッチのオンに応じた車両用ドアロック機構のアンロックなどを許容するようになる。
【００５８】
この場合、搭乗環境記憶部１３には、前記車両用設備の車両運転者（メインユーザまたはサブユーザ）によるセッティング状態を示す搭乗環境情報が、その車両運転者を特定可能な情報（メインユーザコード、サブユーザコード）毎に区分して記憶されており、結果的に、ユーザである車両運転者が車両に乗り込む場合において、車両用設備のセッティング状態の変更操作をいちいち行う必要がなくなり、その利便性が大幅に向上することになる。勿論、このような車両用設備のセッティング状態の変更制御、並びに車両用ドアロック機構のアンロックは、リモコン１の操作が不要なスマートエントリ機能として実現されるものであり、この面からも利便性の向上を図り得る。また、リモコン１のスマートエントリ機能を有効化させるためには、指紋を利用した個人認証が必要になるから、スマートエントリシステムに係るセキュリティ性能の向上も同時に実現できるようになる
また、リモコン１は、スマートエントリ機能を有効化したユーザモードへ切換えられた状態が、所定のリセット条件が成立したとき（その後に一定時間が経過したときや、ユーザモードに移行させたユーザ以外の指紋の読み取りがあった場合など）に無効化されて初期状態（ノーユーザモード）に戻る構成となっているから、リモコン１を紛失した場合のセキュリティ性が向上するようになる。
【００５９】
（第２の実施の形態）
図８及び図９には、本発明の請求項２に対応した第２実施例が示されており、以下これについて前記第１実施例と異なる部分のみ説明する。
即ち、本実施例は、リモコン１によるスマートエントリ機能を有効化したユーザモードとして、指紋による個人認証が記憶部７に記憶されたメインユーザの指紋データに基づいて成立した場合のメインユーザモードと、同じく指紋による個人認証が記憶部７に記憶されたサブユーザの指紋データに基づいて成立した場合のサブユーザモードとを設定し、当該サブユーザモードへの切換えは、メインユーザの指紋データによる個人認証が成立した後の所定期間のみ実行可能な構成とした点に特徴を有するものである。このような構成は、リモコン１にモード変更ボタン（図示せず）を追加すると共に、制御部１０の制御内容を、以下に述べるように変更することにより実現できる。
【００６０】
具体的には、図８には、リモコン１をメインユーザモード切換えるためのメインユーザ認証処理ルーチンの一例が示されている。この処理ルーチンは、指紋読取部６において指紋の読み取りが行われたとき（ステップＥ１で「ＹＥＳ」）に開始されるものであり、開始後には、指紋の読み取りが正常に行われたか否かを判断し（ステップＥ２）、正常に行われなかった場合には、表示部４に対して無効メッセージ（例えば、「指紋を読み取れません」）を表示するステップＥ３を実行した後に初期状態にリターンする。尚、このような無効メッセージの表示状態は、その後に所定時間が経過するまで、若しくは指紋読取部６において指紋の再読み取りが行なわれるまで保持される構成となっている。
【００６１】
これに対して、指紋の読み取りが正常に行われた場合には、その指紋がメインユーザに対応したものであるか否かを判断する（ステップＥ４）。尚、このような判断は、個人認証処理部８に対して、読み取った指紋と記憶部７に登録されているデフォルトデータに対応した指紋データとの照合を指令し、これに応じて実行される個人認証処理部８での個人認証が成立するのに伴い「指紋一致」という認証結果がフィードバックされたか否かに基づいて行うことになる。
【００６２】
読み取られた指紋がメインユーザのものでなかった場合には、無効メッセージ表示ステップＥ３を実行した後にリターンするが、メインユーザのものであった場合には、リモコン１のスマートキー機能を有効化したメインユーザモードへ移行し（ステップＥ５）、さらに、メインユーザをリモコン１の利用許可者として認定する（ステップＥ６）。
【００６３】
この場合、制御部１０は、上述のようにメインユーザモードへ移行した状態では、車両側へ返信する応答信号中に、自身の端末ＩＤ情報及び前記利用許可者（メインユーザ）を特定可能な個人情報（メインユーザコード）などが含まれるように制御する構成となっている。
【００６４】
前記ステップＥ６の実行後には、表示部４に対して、スマートキー機能が有効化されたメインユーザモードへ移行した旨のメッセージ（例えば、「メインユーザモードです」）を表示するステップＥ７を実行した後にリターンする。尚、上記メインユーザモードは、所定のリセット条件が成立したとき、例えば、メインユーザ以外の指紋の読み取りがあった場合などに無効化されて初期状態（ノーユーザモード）に戻る構成となっている。
【００６５】
図９には、リモコン１をサブユーザモード切換えるためのサブユーザ認証処理ルーチンの一例が示されている。この処理ルーチンは、前記図示しないモード変更ボタンが操作されたとき（ステップＦ０で「ＹＥＳ」）に開始されるものであり、開始後には、表示部４に対してメインユーザ向けメッセージ（例えば、「指紋読取部にメインユーザの右手の人差し指を押し当ててください」）を表示し（ステップＦ１）、この後に、指紋読取部６において指紋を読み取ったか否かを、予め設定された時間が経過するまで判断する（ステップＦ２、Ｆ３）。
【００６６】
指紋を読み取ることなく設定時間が経過したときには、表示部４に対して異常メッセージ（例えば、「指紋を読み取れません。最初からやり直してください」）を表示するステップＦ４を実行した後に初期状態にリターンする。尚、このような異常メッセージの表示状態は、その後に所定時間が経過するまで、若しくは新規登録ボタン５ａ、登録抹消ボタン５ｂ及び図示しないモード変更ボタンの何れかが操作されるまで保持される構成となっている。
【００６７】
これに対して、指紋を読み取ったときには、その読み取りが正常に行われたか否かを判断し（ステップＦ５）、異常があった場合には、前記異常メッセージ表示ステップＦ４を実行した後にリターンする。一方、指紋の読み取りが正常に行われた場合には、その指紋が記憶部７に記憶されたデフォルトデータ（メインユーザの指紋データ）と一致するか否かを判断する（ステップＦ６）。
【００６８】
読み取られた指紋がメインユーザのものでなかった場合には、異常メッセージ表示ステップＦ４を実行した後にリターンするが、メインユーザのものであった場合には、表示部４に対して、サブユーザの認証処理を促すメッセージ（例えば、「指紋読取部にサブユーザの右手の人差し指を押し当ててください」）を表示し（ステップＦ７）、この後に、指紋読取部６において指紋を読み取ったか否かを、予め設定された時間が経過するまで判断する（ステップＦ８、Ｆ９）。
【００６９】
指紋を読み取ることなく設定時間が経過したときには、異常メッセージ表示ステップＦ４を実行した後にリターンするが、指紋を読み取ったときには、その読み取りが正常に行われたか否かを判断し（ステップＦ１０）、異常があった場合には、異常メッセージ表示ステップＦ４を実行した後にリターンする。これに対して、指紋の読み取りが正常に行われた場合には、読み取った指紋がサブユーザのものであるか否かを、記憶部７に記憶されているサブユーザの指紋データとの照合により判断する（ステップＦ１１）。読み取った指紋がサブユーザ以外のものであった場合には、異常メッセージ表示ステップＦ４を実行した後にリターンするがサブユーザのものであった場合には、表示部４に対して、スマートキー機能が有効化されたサブユーザモードへ移行した旨のメッセージ（例えば、「サブユーザモードです」）を表示するステップＦ１２を実行した後にリターンする。尚、上記サブユーザモードは、所定のリセット条件が成立したとき、例えば、当該サブユーザ以外の指紋の読み取りがあった場合などに無効化されて初期状態（ノーユーザモード）に戻る構成となっている。
【００７０】
このように構成した本実施例によれば、リモコン１を、サブユーザによる使用が許可されたサブユーザモードへ移行させるためには、メインユーザの許可が必ず必要になるから、リモコン１が第三者の手に渡ることに起因した車両盗難や車上狙いなどに対してのセキュリティ性の向上を図る上できわめて有益になる。
【００７１】
（その他の実施の形態）
本発明は上記した実施例に限定されるものではなく、例えば以下のような変形または拡張が可能である。
車両用設備の車両運転者によるセッティング状態を示す搭乗環境情報を登録するための搭乗環境情報記憶手段として、車両２に設けた搭乗環境記憶部１３を例に挙げたが、例えば車両とモバイル通信を行い得るように設けられた情報管理センタ側のデータベースを搭乗環境情報記憶手段として設ける構成としても良い。この構成によれば、情報管理センタ側で、多数の車両運転者に係る搭乗環境情報を収集できるから、その収集データを、車両用設備のセッティング状態の傾向を解析するために利用できるようになる。
【００７２】
リモコン１に対するサブユーザの登録時に、メインユーザが不在でその個人認証が不可能な場合には、当該メインユーザが所持する通信機器、特には、指紋認証機能を備えた通信機器（パソコン、携帯電話機など）との間の通信によりメインユーザの個人認証を行い得るようなシステム構成が可能である。このようなシステムは、前記第２実施例において、リモコン１をサブユーザモードへ切換える際にも応用可能である。
【００７３】
車両用設備のセッティング状態を示す搭乗環境情報としては、上記した実施例で挙げたものに限らないものであり、例えば、ステアリングホイールの重さやステアリングギア比、ペダル類（ブレーキペダル、アクセルペダルなど）の操作力、車載エアコンの設定温度、パワーウインドウの開閉速度、ＡＦＳ（Adaptive Front-lighting System）の配光角、車速感応オートロック機構の動作タイミング、ワイパ（及びリアワイパ）の間欠駆動時間、ドアアンロック時に足元を照明する機能の有無など、種々の情報が考えられるものである。
【図面の簡単な説明】
【００７４】
【図１】本発明の第１実施例を示すシステム全体の模式図
【図２】リモートコントローラの電気的構成を示す機能ブロック図
【図３】リモートコントローラ側で行われる利用者登録処理の内容を示すフローチャート
【図４】リモートコントローラ側で行われるユーザ認証処理の内容を示すフローチャート
【図５】車両側制御システムの構成例を示す機能ブロック図
【図６】車両側制御システム側で行われる搭乗環境登録処理の内容を示すフローチャート
【図７】車両側制御システム側で行われるスマートエントリ関連処理の内容を示すフローチャート
【図８】本発明の第２実施例におけるリモートコントローラ側で行われるメインユーザ認証処理の内容を示すフローチャート
【図９】同リモートコントローラ側で行われるサブユーザ認証処理の内容を示すフローチャート
【符号の説明】
【００７５】
１はリモートコントローラ（送受信端末）、２は車両、３は制御システム、６は指紋読取部（情報入力手段）、７は記憶部（記憶手段、補助記憶手段）、８は個人認証処理部（個人認証手段）、１０は制御部（登録制御手段、送信制御手段）、１３は搭乗環境記憶部（搭乗環境情報記憶手段）、１５は車載機器（車両用設備）、１６は集中制御部（集中制御手段）を示す。
【図１】
2007238058.tif 000003
【図２】
2007238058.tif 000004
【図３】
2007238058.tif 000005
【図４】
2007238058.tif 000006
【図５】
2007238058.tif 000007
【図６】
2007238058.tif 000008
【図７】
2007238058.tif 000009
【図８】
2007238058.tif 000010
【図９】
2007238058.tif 000011